(57)【要約】  【課題】  計尺精度が高く、しかも計尺ロールを交換することなく波形ピッチの異なる各種の波付き管の計尺を行える波付き管計尺装置を提供する。  【解決手段】  テーパー状外周面に、その外周面を周方向に等分するように多数の突条18を形成してなる計尺ロール12と、この計尺ロール12と相対して計尺ロール12との間に波付き管10を挟み付ける受けロール14と、計尺ロール12と受けロール14の間を通過する波付き管10を、当該波付き管10の波形の谷部と計尺ロール12の突条とが噛み合う位置を通過するように案内するガイドロール16とを備える。計尺する波付き管10の外径、波形ピッチが変更になるときは、計尺ロール12の上下位置、ガイドロール16の間隔、ガイドロール16の左右方向の位置を調整する。【選択図】  図１
2007017210.tif 000002
【特許請求の範囲】
【請求項１】
長手方向に送られる波付き管の長さを測定する波付き管計尺切断装置であって、
テーパー状外周面に、その外周面を周方向に等分するように多数の突条を形成してなる計尺ロールと、
この計尺ロールと相対して計尺ロールとの間に波付き管を挟み付ける受けロールと、
前記計尺ロールと受けロールの間を通過する波付き管を、当該波付き管の波形の谷部と計尺ロールの突条とが噛み合う位置を通過するように案内するガイドロールと、
を備えていることを特徴とする波付き管計尺装置。
【請求項２】
前記計尺ロールと受けロールの間隔を波付き管の外径に合うように調整する第一の間隔調整機構と、
前記ガイドロールの間隔を波付き管の外径に合うように調整する第二の間隔調整機構と、
前記ガイドロールの位置を、波付き管の波形の谷部と計尺ロールの突条とが噛み合う位置に調整する位置調整機構と、
をさらに備えていることを特徴とする請求項１記載の波付き管計尺装置。
【請求項３】
計尺ロールを回転させるモーターが設けられ、計尺ロールの回転により波付き管が長手方向に送られるようになっていることを特徴とする請求項１又は２記載の波付き管の計尺装置。
【請求項４】
受けロールが、計尺ロールと同じ形状のロールからなり、計尺ロールと同期回転するようになっていることを特徴とする請求項１ないし３のいずれかに記載の波付き管計尺装置。
【請求項５】
請求項１ないし４のいずれかに記載の計尺装置と、その計尺装置で計尺された波付き管が所定の長さに達した所で波付き管を切断する切断装置とを備えていることを特徴とする波付き管計尺切断装置。
【発明の詳細な説明】
【技術分野】
【０００１】
本発明は、波付き管の長さを測定する波付き管計尺装置と、計尺された波付き管を所定の長さの所で切断する波付き管計尺切断装置に関するものである。
【背景技術】
【０００２】
自動車用のワイヤーハーネス等では、電線束を保護するため、プラスチック製の波付き管が用いられる。波付き管は、長尺のものをコイル状に巻いた状態で供給されるため、これをワイヤーハーネス等の保護管として使用する場合には、波付き管の長さを測定して、所要の長さに切断する必要がある。
【０００３】
従来、波付き管の長さを測定する計尺装置としては、長手方向に送られる波付き管に計尺ロールを押し付けて、計尺ロールの外周長と回転数から長さを求めるものが提案されている（特許文献１参照）。
【０００４】
【特許文献１】特開２０００−１４１２９１号公報
【発明の開示】
【発明が解決しようとする課題】
【０００５】
しかし、従来の波付き管計尺装置は、計尺ロールが外周面の滑らかな円板状のものであるため、計尺ロールが波付き管上でスリップするおそれがあり、計尺精度を高めることが難しい。
【０００６】
計尺ロールと波付き管のスリップを無くすためには、計尺ロールを歯車状にして波付き管の波形と噛み合うようにすることが考えられる。しかし、波付き管には、外径や波形ピッチの異なる多数の種類があるため、歯車状の計尺ロールを使用すると、計尺する波付き管の波形ピッチが変わる度に計尺ロールを交換しなければならないという問題が生じる。
【０００７】
また、従来の計尺装置は波付き管の送りを手作業で行う方式であり、作業効率を高めることが難しい。
【０００８】
本発明の第一の目的は、計尺精度が高く、しかも計尺ロールを交換することなく波形ピッチの異なる各種の波付き管の計尺を行える波付き管計尺装置と、それを用いた波付き管計尺切断装置を提供することにある。
【０００９】
本発明の第二の目的は、波付き管の計尺を自動的に行えるようにすることにある。
【課題を解決するための手段】
【００１０】
本発明に係る波付き管計尺装置は、長手方向に送られる波付き管の長さを測定するものであって、テーパー状外周面に、その外周面を周方向に等分するように多数の突条を形成してなる計尺ロールと、この計尺ロールと相対して計尺ロールとの間に波付き管を挟み付ける受けロールと、前記計尺ロールと受けロールの間を通過する波付き管を、当該波付き管の波形の谷部と計尺ロールの突条とが噛み合う位置を通過するように案内するガイドロールとを備えていることを特徴とするものである。
【００１１】
本発明に係る波付き管計尺装置は、前記計尺ロールと受けロールの間隔を波付き管の外径に合うように調整する第一の間隔調整機構と、前記ガイドロールの間隔を波付き管の外径に合うように調整する第二の間隔調整機構と、前記ガイドロールの位置を、波付き管の波形の谷部と計尺ロールの突条とが噛み合う位置に調整する位置調整機構とをさらに備えているものであることが好ましい。
【００１２】
また本発明に係る波付き管計尺装置は、計尺ロールを回転させるモーターが設けられ、計尺ロールの回転により波付き管が長手方向に送られるようになっているものであることが好ましい。
【００１３】
また本発明に係る波付き管計尺装置は、受けロールが、計尺ロールと同じ形状のロールからなり、計尺ロールと同期回転するようになっているものであってもよい。
【００１４】
また本発明に係る波付き管計尺切断装置は、以上のような構成の計尺装置と、その計尺装置で計尺された波付き管が所定の長さに達した所で波付き管を切断する切断装置とを備えていることを特徴とするものである。
【発明の効果】
【００１５】
請求項１の発明によれば、計尺ロールの外周面に形成された多数の突条が波付き管の波形の谷部と噛み合うので、計尺ロールが波付き管に対してスリップすることがなくなる。したがって計尺ロールの突条本数及び回転数と波付き管の波形ピッチとから、計尺ロールと受けロールの間を通過する波付き管の長さを正確に求めることができる。また計尺ロールは外周面がテーパー状になっていて、周方向の突条のピッチが軸線方向に漸次変化しているため、波付き管を通す位置を、波付き管の波形と計尺ロールの突条が噛み合う位置に調整するだけで、計尺ロールを交換することなく波形ピッチの異なる各種の波付き管の計尺を行うことができる。
【００１６】
請求項２の発明によれば、計尺する波付き管を、異なるサイズ（外径、波形のピッチ）に変更するときに、計尺ロール及びガイドロールの調整を簡単に効率よく行うことができる。
【００１７】
請求項３の発明によれば、波付き管の送りを計尺ロールによって行いことができるので、波付き管の計尺を自動で行うことができる。
【００１８】
請求項４の発明によれば、計尺ロールと受けロールの両方で波付き管を送ることができるので、計尺ロールの突条と波付き管の波形の谷部との噛み合いが外れるおそれがなくなり、波付き管の計尺をより正確に行うことができる。
【００１９】
請求項５の発明によれば、波付き管を所定の長さに計尺して切断する作業を正確に効率よく行うことができる。
【発明を実施するための最良の形態】
【００２０】
〔実施形態１〕  図１ないし図４は本発明に係る波付き管計尺装置の一実施形態を示す。図１及び図２は計尺する波付き管が比較的細い場合を、図３及び図４は比較的太い場合を示している。図において、１０は計尺する波付き管、１２は計尺ロール、１４は受けロール、１６は２本１組のガイドロールである。
【００２１】
計尺ロール１２は、外周面がテーパー状で、その外周面を周方向に等分するように多数の突条１８が形成されているものである。つまり突条１８は、計尺ロール１２の外径が小さくなるに従いピッチ（隣り合う突条の間隔）が狭くなるように形成されている。
【００２２】
受けロール１４は、前記計尺ロール１２と相対して計尺ロール１２と共に波付き管１０を挟み付けるものである。図示の例では、受けロール１２が２本平行に設けられているが、受けロール１２は１本であってもよい。計尺ロール１２は、２本の受けロール１４の中間線と対向する１本の突条１８が受けロール１４と平行になるように、軸線を傾斜させて配置されている。
【００２３】
ガイドロール１６は、前記計尺ロール１２と受けロール１４の間を通過する波付き管１０を、当該波付き管１０の波形の谷部２０と計尺ロール１２の突条１８とが噛み合う位置を通過するように案内するものである。
【００２４】
受けロール１４は、その両端を軸受２２に回転自在に支持され、水平に保たれている。一方、計尺ロール１２は前述のように軸線を傾斜させた状態で、その両端を軸受２４に回転自在に支持され、この二つの軸受２４は第一の支持フレーム２６に支持されている。また第一の支持フレーム２６は、その中間部で垂直ねじ棒２８とねじ結合しており、垂直ねじ棒２８は図示しない固定部材に支持された上下位置調整モーター３０によって回転するようになっている。したがって、垂直ねじ棒２８をモーター３０により正転、逆転させると、計尺ロール１２が上下に移動することになる。つまり、前記第一の支持フレーム２６、垂直ねじ棒２８及びモーター３０は、計尺ロール１２と受けロール１４の間隔を波付き管１０の外径に合うように調整する第一の間隔調整機構を構成している。
【００２５】
また計尺ロール１２は、その一端に接続されたモーター３２によって回転駆動されるようになっている。計尺ロール１２が回転すると、計尺ロール１２の突条１８と波付き管１０の谷部２０との噛み合いにより、波付き管１０が長手方向に送られることになる。
【００２６】
また、一対のガイドロール１６はそれぞれ、垂直軸受３４によって回転自在に支持され、この二つの垂直軸受３４はそれぞれ、ねじのらせん方向が左右で異なる左右逆ねじ棒３６の左右のねじ部にねじ結合している。また左右逆ねじ棒３６の両端は軸受３８に回転自在に支持され、この二つの軸受３８は第二の支持フレーム４０に支持されている。さらに左右逆ねじ棒３６はその一端側に設けられたハンドル４２によって回転するようになっている。したがって、ハンドル４２を正転、逆転させると、ガイドロール１６の間隔が広くなったり狭くなったりすることになる。つまり、左右逆ねじ棒３６、軸受３８、第二の支持フレーム４０及びハンドル４２は、ガイドロール１６の間隔を波付き管１０の外径に合うように調整する第二の間隔調整機構を構成している。なお左右逆ねじ棒３６は、ハンドル４２ではなくモーターで回転させてもよい。
【００２７】
また、前記第二の支持フレーム４０は、その中間部に設けられた突起部で水平ねじ棒４４とねじ結合しており、この水平ねじ棒４４はその両端を軸受４６（図示しない固定部材に固定）により回転自在に支持されている。また水平ねじ棒４４の一端側にはモーター４８が接続されている。したがって水平ねじ棒４４をモーター４８により正転、逆転させると、ガイドロール１６が左右に移動することになる。つまり、第二の支持フレーム４０、水平ねじ棒４４、軸受４６及びモーター４８は、一対のガイドロール１６の中間位置を、波付き管１０の波形の谷部２０と計尺ロール１２の突条１８とが噛み合う位置に調整する位置調整機構を構成している。
【００２８】
以上のように構成された波付き管計尺装置は次のように使用される。まず、ガイドロール１６で波付き管１０を左右から挟み付けた状態で、水平ねじ棒４４を回転させ、ガイドロール１６の位置を、波付き管１０の波形の谷部２０と計尺ロール１２の突条１８とが噛み合う位置（波付き管１０の波形のピッチと計尺ロール１２の突条１８のピッチが合致する位置）に調整する。その後、計尺ロール１２を下降させ、計尺ロール１２と受けロール１４で上下から挟み付け、計尺ロール１２の突条１８と波付き管１０の谷部２０とを噛み合わせる。この状態で計尺ロール１２をモーター３２によって回転させると、計尺ロール１２の突条１８と波付き管１０の谷部２０との噛み合いにより、波付き管１０が長手方向に走行する。したがって波付き管１０の波形のピッチと、計尺ロール１２の突条１８の本数と、計尺ロール１２（モーター３２）の回転数を掛け算すれば、計尺ロール１２によって送り出された波付き管１０の長さを求めることができる。
【００２９】
またこの計尺装置は、計尺ロール１２の突条１８と波付き管１０の谷部２０とが噛み合っているので、計尺ロール１２が波付き管１０に対してスリップすることがなく、波付き管の長さを正確に測定することができる。
【００３０】
さらに、計尺する波付き管のサイズ（外径、波形のピッチ）が変わるときは、例えば図１から図３のように、ガイドロール１６の間隔及び左右方向の位置並びに計尺ロール１２の上下方向の位置を調整することで対応できる。このため、計尺ロールを交換する手間がかからず、計尺ロールを波付き管のサイズ別に用意する必要もない。
【００３１】
〔実施形態２〕  図５は本発明に係る波付き管計尺装置の他の実施形態を示す。この実施形態が実施形態１と異なる点は、受けロール１４が、計尺ロール１２と同じ形状のロールで構成され、モーター５０によって計尺ロール１２と同期回転するようになっていることである。それ以外の構成は、実施形態１と同じであるので、同一部分には同一符号を付して説明を省略する。
【００３２】
このような構成にすると、計尺ロール１２と受けロール１４の両方で波付き管１０に送りをかけることができるため、計尺ロール１２の突条と波付き管１０の谷部との噛み合いが外れるおそれがなくなり、波付き管１０の計尺をより正確に行うことができる。
【００３３】
〔実施形態３〕  図６は本発明に係る波付き管計尺切断装置の一実施形態を示す。この装置は、波付き管１０の計尺装置５２と切断装置５４を組み合わせたものである。計尺装置５２は実施形態１の計尺装置と同じであるので、同一部分には同一符号を付して説明を省略する。切断装置５４は計尺装置５２から波付き管１０が送り出される側に設置され、計尺装置５２で計尺された波付き管１０が所定の長さに達した所で作動し、波付き管を切断するものである。切断装置５４は波付き管１０を切断できるものであればどのようなタイプでもよく、例えばギロチン型のもの（特許文献１参照）、電動のこぎり型のものなどを使用できる。
【００３４】
なお、自動車用ワイヤーハーネスの保護管等に使用される波付き管１０には通常、長手方向に割り５６が入っているので、計尺装置５２の手前には、この割り５６に入る位置決めガイド５８を設置しておくとよい。このような位置決めガイド５８を設置しておくと、計尺切断する波付き管１０のねじれを防止することができる。
【００３５】
また、計尺装置５２としては、実施形態２の計尺装置を使用することも可能である。
【図面の簡単な説明】
【００３６】
【図１】本発明に係る波付き管計尺装置の一実施形態を示す正面図。
【図２】図１の計尺装置の要部の断面図。
【図３】図１の計尺装置で図１の場合より太い波付き管を計尺する状態を示す正面図。
【図４】図３の計尺状態の要部の断面図。
【図５】本発明に係る波付き管計尺装置の他の実施形態を示す正面図。
【図６】本発明に係る波付き管計尺切断装置の一実施形態を示す（Ａ）は側面図、（Ｂ）は平面図、（Ｃ）は（Ａ）のＣ−Ｃ線断面図。
【符号の説明】
【００３７】
１０：波付き管
１２：計尺ロール
１４：受けロール
１６：ガイドロール
１８：突条
２０：波形の谷部
２６：第一の支持フレーム
２８：垂直ねじ棒
３０：上下位置調整モーター
３２：計尺ロール駆動モーター
３６：左右逆ねじ棒
４０：第二の支持フレーム
４２：ハンドル
４４：水平ねじ棒
４８：ガイドロール位置調整モーター
５０：受けロール駆動モーター
５２：計尺装置
５４：切断装置
【図１】
2007017210.tif 000003
【図２】
2007017210.tif 000004
【図３】
2007017210.tif 000005
【図４】
2007017210.tif 000006
【図５】
2007017210.tif 000007
【図６】
2007017210.tif 000008